(57)【要約】      （修正有）【課題】どの程度の速度で走っているかを外部から認識し易い自動車を提供する。【解決手段】自動車ボディ外表面もしくはウィンドウの適所に発光部８を備え、発光部は発光色の異なる複数の発光体を有し、自動車の速度変化に応じた色の発光を行う。【選択図】図１
0003219299.tif 000002
【実用新案登録請求の範囲】
【請求項１】
自動車ボディ外表面もしくはウィンドウの適所に、前記自動車の速度変化に応じた色の発光を行う発光部を備えることを特徴とする自動車。
【請求項２】
前記発光部は、それぞれ発光色が異なる複数の発光体を有し、前記自動車の走行時において、少なくとも前記複数のライトのうち前記自動車の速度に対応する発光体を発光させることを特徴とする請求項１記載の自動車。
【請求項３】
前記発光部は、前記自動車のナンバープレートと共に視認することができる位置に設けられることを特徴とする請求項１または請求項２記載の自動車。
【考案の詳細な説明】
【技術分野】
【０００１】
本考案は、自動車の走行速度表示に関する。
【背景技術】
【０００２】
従来、自動車の速度を当該自動車のドライバ以外が認識する手段としては、オービスやスピードガンといった速度測定器を用いる手段や、自動車走行中の速度に応じて複数のランプを順次点灯させる装置であって、かつて大型のトラック等に設置が義務付けられていた速度表示装置を設置する手段等が知られている。
【０００３】
また、速度表示装置に関連する技術として、自動車のルーフ上面に突出して取り付けられた少なくとも一つの脚と、その脚の上方に取り付けられた翼形断面を有する支持アームと、その自動車の前方に向けて表示し得るようにその支持アームに一体的に取り付けられた複数のランプとを含む自動車の表示装置が知られている（特許文献１参照）
【先行技術文献】
【特許文献】
【０００４】
【特許文献１】実公昭５７−１７００１号公報
【考案の概要】
【考案が解決しようとする課題】
【０００５】
しかしながら、上述した速度表示装置は、主に３つの同色（黄緑色）のランプを順次点灯させるものであり、環境によっては、当該速度表示装置が設けられた自動車以外の自動車（以後、他の自動車と称する）のドライバが、ランプが同色であることからそのランプの点灯個数を正しく認識できず、自動車がどの程度の速度で走っているか認識し難いという問題があった。
【０００６】
そこで、本考案は、このような問題に鑑みてなされたもので、その目的とするところは、どの程度の速度で走っているかを外部から認識し易い自動車を提供することにある。
【課題を解決するための手段】
【０００７】
上記課題を解決するために、本考案の実施形態は、自動車ボディ外表面もしくはウィンドウの適所に、前記自動車の速度変化に応じた色の発光を行う発光部を備えることを特徴とする。
【考案の効果】
【０００８】
本考案によれば、どの程度の速度で走っているかを外部から認識し易い自動車を提供することができる。
【図面の簡単な説明】
【０００９】
【図１】自動車ボディを前方より見た車両前面を示す正面図である。
【図２】自動車ボディを後方より見た車両後面を示す背面図である。
【図３】速度表示板を示す詳細な正面図である。
【図４】速度表示板の他の形態を示す詳細な正面図である。
【考案を実施するための形態】
【００１０】
以下に添付図面を参照しながら、本考案の好適な実施の形態を普通乗用車（以後、自動車と称する）に例をとって説明する。なお、本明細書及び図面において、実質的に同一の機能を有する構成要素については、同一の符号を付することにより重複説明を省略する。
【００１１】
図１に示す自動車ボディには、運転席の前面にフロントウィンドウ１が設けられ、フロントウィンドウ下部１aより自動車前方にかけてエンジンなどを収納して保護するボンネット２が設けられている。ボディ側部におけるフロントウィンドウ１の両サイドの前部付近には、サイドミラー３が設けられている。
【００１２】
そして、ボンネット２前端下部が自動車ボディの前面を形成し、この両端近傍それぞれにヘッドランプ４が設けられ、自動車ボディ前面の中央付近にエンジングリル５が設けられ、自動車ボディの前面下部にはフロントバンパー６が設けられている。
【００１３】
そして、そのバンパープレート６とエンジングリル５の一部にまたがるように車両ナンバープレート７が設けられている。本実施形態においては、その車両ナンバープレート７の左側部に後述する速度表示板８が設けられている。
【００１４】
図２は、図１に示した自動車を後方より見た自動車ボディ後面を示す背面図である。リアウィンドウ１１の下部にはボンネット１２が設けられ、その両端にはテールランプ１３が設けられ、リアバンパー１４に車両ナンバープレート１７が設けられ、その車両ナンバープレート１７側部に前述した自動車の前方部に設けた速度表示板８と全く同じ速度表示板８が設けられている。
【００１５】
速度表示板８は、図３に示すように６つのライト９ａ〜９ｆが設けられている。ライト９ａ〜９ｆは、それぞれ個別に発光可能なものであり、少なくともいくつかが互いに異なる色に発光する。本実施形態においてはライト９ａが緑色、ライト９ｂが青色、ライト９ｃ〜９ｆが黄色に点灯する。このライト９ａ〜９ｆには光の指向性が高く、長寿命且つ高輝度を確保できるＬＥＤ（Light Emitting Diode）ライトを用いることが好ましいが、ライト９ａ〜９ｆのうちのいくつかが互いに異なる色を発光できるものであればどのようなものを用いてもよく、複数種類のライトを組み合わせるようにしてもよい。
【００１６】
速度表示板８は、図示しない自動車の速度メータが取得する車両速度を表す信号が送られてこれを取得し、その車両速度に応じてライト９ａ〜９ｆを点灯する。具体的には複数の速度範囲毎に点灯するライトを予め設定しておく。ライトを点灯する速度範囲は適宜設定可能であり、例えば車両速度が４０ｋｍ／ｈ未満であれば発光色が緑色であるライト９ａを点灯し、４０ｋｍ／ｈ以上、６０ｋｍ／ｈ未満であれば発光色が青色であるライト９ｂを点灯し、６０ｋｍ／ｈ以上、８０ｋｍ／ｈ未満であれば発光色が黄色であるライト９ｃを点灯し、以降、上記速度範囲において２０ｋｍ／ｈ加算毎にライト９ｄ〜９ｆが順次点灯するようにすることができる。なお、ライトの個数を増減させて速度範囲をそれに併せて設定してもよく、ライトの点灯を維持せずに、点滅するようにしてもよい。ライトの点滅としては、例えば１００ｋｍ／ｈを超えた場合に点滅する等、高速での走行時に行うようにすることが好ましい。  
【００１７】
以上に説明した本実施形態によれば、少なくとも一部発光する色が異なる複数のライト９ａ〜９ｆにより車両速度を外部の第三者に知らしめることができる。また、速度範囲により異なる色のライトが発光するため、第三者は直感的に容易に且つ正確に速度の度合いを認識することが可能となる。また、速度表示板８と車両ナンバープレート７、１７とを隣接させたことにより、速度表示板８を撮像した場合、車両ナンバープレート７もまた同時に撮像される可能性が高くなり、これによって、速度表示板８が備えられた自動車の運転者によるスピード違反を誰でも容易に告発することが可能となる。
【００１８】
なお、本実施形態では、速度表示板８はライト９ａ〜９ｆを備えると説明したが、図４に示されるように、ライト９ａ〜９ｆに代わり、ＬＥＤパネルや液晶パネル、速度表示板等の発光体を格子状に配置した発光パネル９’を用いるようにしてもよい。この発光パネル９’はその全面において青、緑、黄、紫、等の複数の異なる色の発光を行うことができ、車両速度に応じてその発光色を変更させることで、ライト９ａ〜９ｆを用いた場合と同様に車両速度の度合いを直感的に容易に且つ正確に認識することができる。
【００１９】
また、本実施形態においては、ライト９ｃ〜９ｆは同一色で発光すると説明したが、全てのライトが異なる色で発光するようにしてもよい。
【００２０】
また、ライト９ａ〜９ｆは順次点灯することが好ましいが、現在の速度範囲未満のライトを消灯させてもよい。例えば、現在の車両速度が５０ｋｇ／ｈであれば、ライト９ｂを点灯し、４０ｋｍ／ｈ未満に点灯するライト９ａを消灯するようにする。
【００２１】
また、本実施形態においては６つのライト９ａ〜９ｆは上下方向に延在する形となっているが、真円形や角形等、その形状はどのようなものであってもよく、その個数も複数であればよい。
【００２２】
また、速度表示板８が取得する車両速度を表す信号は、タイヤ１０及び／又はホイールの図示しない回転速度を検出する検出器から取り出しても良いし（好ましくはデジタル信号に変換する）、スピードメータへの入力信号を取り出すようにしても良い。また、その信号の速度表示板８への送信は配線を用いても良いし、短距離無線通信などを用いても良い。なお、送信には雑音特性に優れるデジタル信号を用いることが好ましい。
【００２３】
また、本実施形態では、速度表示板８を自動車のフロント面およびリア面に設けた場合を説明したが、これらはいずれか一方のみに設けるようにしても良い。
【００２４】
また、本実施形態では、速度表示板８を自動車ボディに設けたが、自動車内において、フロントウィンドウ１またはリアウィンドウ１１を介して、外部から視認できるように速度表示板８を設けても良い。要は、自動車ドライバのマナー向上のため、また、この車両を撮像した場合、その撮像画面に車両ナンバープレート７、１７と共に速度表示板８が撮像されるような位置であれば、車両のどこに設けても良い。
【００２５】
さらに、速度表示板８は車両ボディに接着等により取り付けるようにしても良いし、ボディに組み込むようにしても良い。
【００２６】
本考案は、その要旨または主要な特徴から逸脱することなく、他の様々な形で実施することができる。そのため、前述の実施の形態は、あらゆる点で単なる例示に過ぎず、限定的に解釈してはならない。本考案の範囲は、実用新案登録請求の範囲によって示すものであって、明細書本文には、何ら拘束されない。更に、実用新案登録請求の範囲の均等範囲に属する全ての変形、様々な改良、代替および改質は、全て本考案の範囲内のものである。
【符号の説明】
【００２７】
１  フロントウィンドウ
６  フロントバンパー
７,１７  車両ナンバープレート
８  速度表示板（発光部）
９ａ〜９ｆ  ライト（発光体、発光部）
９’  発光パネル（発光体、発光部）
１１  リアウィンドウ
１４  リアバンパー
【図１】
0003219299.tif 000003
【図２】
0003219299.tif 000004
【図３】
0003219299.tif 000005
【図４】
0003219299.tif 000006